(57)【特許請求の範囲】
【請求項１】
プリント基板に実装されたイヤホンジャックのプラグ挿入孔部を防水キャップで塞ぐようにしたイヤホンジャック防水構造を備えた携帯用無線機であって、
前記イヤホンジャックは開口部を有するハウジングを備え、
前記開口部には防水シートが貼り付けられて前記開口部が塞がれていると共に、前記イヤホンジャックの前記プリント基板への合わせ目には、その全周に亘って接着剤が塗布されて当該合わせ目が閉塞されていることを特徴とするイヤホンジャック防水構造を備えた携帯用無線機。
【請求項２】
前記防水シートは、前記開口部のある面部に貼り付けられ、前記防水シートの開口部閉塞部位を除く部分を前記ハウジング側に折り曲げて前記ハウジングの面部に貼り付けられて前記開口部を閉塞することを特徴とする請求項１記載のイヤホンジャック防水構造を備えた携帯用無線機。
【請求項３】
プリント基板に実装されたイヤホンジャックのハウジングの開口部のある面部に防水シートを貼り付ける防水シート貼付工程と、
前記防水シートの開口部閉塞部位を挟む両側部位を前記ハウジング側に折り曲げて、前記ハウジングの面部に貼り付け、前記防水シートの開口部閉塞部位及び前記両側部位のそれぞれの一部分を立ち上げて立上げ部を形成した第１の防水シート折曲工程と、
前記防水シートの開口部閉塞部位の立上げ部を前記ハウジング側に折り曲げて、前記防水シートの開口部閉塞部位の立上げ部を前記ハウジングの他の面部に貼り付けると共に、前記両側部位のそれぞれの前記立上げ部を折り畳み、前記両側部位を外に開く第２の防水シート折曲工程と、
外に開いた前記両側部位を内側に折り畳んで、前記両側部位を前記ハウジングの他の面部に貼り付ける第３の防水シート折曲工程と、
前記イヤホンジャックと前記プリント基板との合わせ目の全周に亘って接着剤を塗布する接着剤塗布工程とを備えたことを特徴とする携帯用無線機のイヤホンジャック防水方法。
【発明の詳細な説明】
【０００１】
【発明が属する技術分野】
本発明は、携帯用無線機、特にイヤホンジャック防水構造を備えた業務用の携帯用無線機及びそのイヤホンジャック防水方法に関するものである。
【０００２】
【従来の技術】
一般に、携帯用無線機、特に業務用の携帯用無線機にあっては、雨の中でも頻繁に使用することがあるために防水が必須条件である。
【０００３】
しかし、携帯用無線機の防水としてのイヤホンジャックの防水は、イヤホンジャックのボルト部材の内孔部であるプラグ挿入孔部を塞ぐようにトップカバーの孔部に防水キャップを嵌合することで行われていた。
【０００４】
すなわち、図９に示すようにケース（図示せず）の頂側部位に装着されたトップカバー６１には孔部６２が設けてあり、この孔部６２内に、イヤホンジャック６３のボルト部材６４の内孔部であるプラグ挿入孔部６５の上端部が同心的に位置している。
【０００５】
また、防水キャップ６６は、その取付部６７を、トップカバー６１に設けた防水キャップ取付部６８に挿入してこのトップカバー６１に取付けてあり、この防水キャップ６６は孔部６２に着脱可能に装着されていて、孔部６２が塞がれている。
【０００６】
そして、イヤホンの使用は、防水キャップ６６を孔部６２より外して、この孔部６２からボルト部材６４の内孔部であるプラグ挿入孔部６５にイヤホンプラグを差し込んで行われる。
【０００７】
【発明が解決しようとする課題】
しかしながら、イヤホンの使用の場合、防水キャップ６６を孔部６２より外すために、装着忘れがあること、また、業務用の携帯用無線機の場合、使用頻度が高く乱暴に扱われることがあると、防水キャップ６６が、そのヒンジ部６９で千切れて紛失する場合があり、孔部６２が開放しっぱなしになることがある。
【０００８】
このような場合、孔部６２から侵入した水（雨水）がボルト部材６４の内孔部であるプラグ挿入孔部６５を経てイヤホンジャック６３の内部に入る。このイヤホンジャック６３は、その構造上、底面部に開口部７０を有しており、このために、このイヤホンジャック６３内に侵入した水は外部に漏れ、この漏れた水がメインプリント基板及びこの基板に実装した電子部品等に接して無線機能の品質信頼性を低下させるという問題点があった。
【０００９】
本発明は、上記の問題点に着目して成されたものであって、その第１の目的とするところは、イヤホンジャック内に雨水が侵入しても機器内部への浸水を防ぐことができて、無線機能の品質信頼性の確保に寄与するイヤホンジャック防水構造を備えた携帯用無線機を提供することにある。
【００１０】
また、本発明の第２の目的とするところは、容易に且つ安価にイヤホンジャックの防水対策を講じることができて、無線機能の品質信頼性の確保に寄与する携帯用無線機のイヤホンジャック防水方法を提供することにある。
【００１１】
【課題を解決するための手段】
上記の第１の目的を達成するために、本発明に係るイヤホンジャック防水構造を備えた携帯用無線機は、プリント基板に実装されたイヤホンジャックのプラグ挿入孔部を防水キャップで塞ぐようにしたイヤホンジャック防水構造を備えた携帯用無線機であって、イヤホンジャックは開口部を有するハウジングを備え、開口部には防水シートが貼り付けられて開口部が塞がれていると共に、イヤホンジャックのプリント基板への合わせ目には、その全周に亘って接着剤が塗布されて当該合わせ目が閉塞されているように構成したものである。
【００１２】
かかる構成により、防水キャップの装着を忘れた場合、また、防水キャップが千切れて紛失している場合、水がプラグ挿入孔部を経てイヤホンジャックの内部に入るが、このイヤホンジャックにあっては、その漏洩箇所が閉塞部材により閉塞されているために、このイヤホンジャック内に侵入した水は外部に漏れることがなくなる。
【００１３】
このように、イヤホンジャック内に水（雨水）が侵入しても機器内部への浸水を防止することができるために、無線機能の品質信頼性の確保ができ、携帯用無線機を雨の日でも使用することができる。
【００１４】
また、上記の第２の目的を達成するために、本発明に係る携帯用無線機のイヤホンジャック防水方法は、プリント基板に実装されたイヤホンジャックのハウジングの開口部のある面部に防水シートを貼り付ける防水シート貼付工程と、この防水シートの開口部閉塞部位を挟む両側部位をハウジング側に折り曲げて、このハウジングの面部に貼り付け、防水シートの開口部閉塞部位及び両側部位のそれぞれの一部分を立ち上げて立上げ部を形成した第１の防水シート折曲工程と、防水シートの開口部閉塞部位の立上げ部をハウジング側に折り曲げて、防水シートの開口部閉塞部位の立上げ部をハウジングの他の面部に貼り付けると共に、両側部位のそれぞれの立上げ部を折り畳み、両側部位を外に開く第２の防水シート折曲工程と、外に開いた両側部位を内側に折り畳んで、両側部位をハウジングの他の面部に貼り付ける第３の防水シート折曲工程と、イヤホンジャックとプリント基板との合わせ目の全周に亘って接着剤を塗布する接着剤塗布工程とを備えたものである。
【００１５】
したがって、容易に且つ安価にイヤホンジャックの防水対策を講じることができて、無線機能の品質信頼性の確保に寄与することができる。
【００１６】
【発明の実施の形態】
請求項１の発明に係るイヤホンジャック防水構造を備えた携帯用無線機は、プリント基板に実装されたイヤホンジャックのプラグ挿入孔部を防水キャップで塞ぐようにしたイヤホンジャック防水構造を備えた携帯用無線機であって、イヤホンジャックは開口部を有するハウジングを備え、開口部には防水シートが貼り付けられて開口部が塞がれていると共に、イヤホンジャックのプリント基板への合わせ目には、その全周に亘って接着剤が塗布されて当該合わせ目が閉塞されているように構成したものである。
【００１７】
かかる構成により、防水キャップの装着を忘れた場合、また、防水キャップが千切れて紛失している場合、水がプラグ挿入孔部を経てイヤホンジャックの内部に侵入するが、このイヤホンジャックにあっては、その漏洩箇所が閉塞部材により閉塞されているために、このイヤホンジャック内に侵入した水は外部に漏れることがなくなる。
【００１８】
このように、イヤホンジャック内に雨水が侵入しても機器内部への浸水を防ぐことができるために、無線機能の品質信頼性の確保ができ、携帯用無線機を雨の日でも使用することができる。
【００２０】
また、かかる構成により、防水キャップの装着を忘れた場合、また、防水キャップが千切れて紛失している場合、水がプラグ挿入孔部を経てイヤホンジャックの内部に侵入するが、このイヤホンジャックにあっては、その開口部が防水シートにより完全に塞がれており、また、イヤホンジャックとプリント基板との合わせ目も接着剤によって完全に塞がれているために、このイヤホンジャック内に侵入した水は外部に漏れることがなくなる。
【００２１】
このように、イヤホンジャック内に雨水が侵入しても機器内部への浸水を防ぐことができるために、無線機能の品質信頼性の確保ができ、携帯用無線機を雨の日でも使用することができる。
【００２２】
また、請求項２の発明に係るイヤホンジャック防水構造を備えた携帯用無線機は、防水シートが、開口部のある面部に貼り付けられ、防水シートの開口部閉塞部位を除く部分をハウジング側に折り曲げてハウジングの面部に貼り付けられて開口部を閉塞するようにしたものである。
【００２３】
したがって、容易に且つ安価にイヤホンジャックの防水対策を講じることができて、無線機能の品質信頼性の確保に寄与することができる。
【００２４】
また、請求項３の発明に係る携帯用無線機のイヤホンジャック防水方法は、プリント基板に実装されたイヤホンジャックのハウジングの開口部のある面部に防水シートを貼り付ける防水シート貼付工程と、防水シートの開口部閉塞部位を挟む両側部位をハウジング側に折り曲げて、このハウジングの面部に貼り付け、防水シートの開口部閉塞部位及び両側部位のそれぞれの一部分を立ち上げて立上げ部を形成した第１の防水シート折曲工程と、防水シートの開口部閉塞部位の立上げ部をハウジング側に折り曲げて、防水シートの開口部閉塞部位の立上げ部をハウジングの他の面部に貼り付けると共に、両側部位のそれぞれの立上げ部を折り畳み、これらの両側部位を外に開く第２の防水シート折曲工程と、外に開いた両側部位を内側に折り畳んで、両側部位をハウジングの他の面部に貼り付ける第３の防水シート折曲工程と、イヤホンジャックとプリント基板との合わせ目の全周に亘って接着剤を塗布する接着剤塗布工程とを備えたものである。
【００２５】
したがって、イヤホンジャックのハウジングの開口部のある面部に防水シートを貼り付け、次に、防水シートの開口部閉塞部位を挟む両側部位をハウジング側に折り曲げて、このハウジングの面部に貼り付け、開口部閉塞部位及び両側部位のそれぞれの一部分を立ち上げ、次に、開口部閉塞部位の立上げ部をハウジング側に折り曲げて、開口部閉塞部位の立上げ部をハウジングの他の面部に貼り付けると共に、両側部位のそれぞれの立上げ部を折り畳み、これらの両側部位を外に開らき、次に、外に開いた両側部位を内側に折り畳んでハウジングの他の面部に貼り付け、次に、イヤホンジャックとプリント基板との合せ目の全周に亘って接着剤を塗布することでこの合せ目を閉塞してイヤホンジャックに防水処置を行うことができる。
【００２６】
このように、容易に且つ安価にイヤホンジャックの防水対策を講じることができて、無線機能の品質信頼性の確保に寄与することができる。
【００２７】
以下、本発明の実施の形態を図面に基づいて説明する。
【００２８】
図１は本発明に係るイヤホンジャック防水構造を備えた携帯用無線機の一部省略した分解状態の斜視図である。
【００２９】
携帯用無線機はケース１を備えており、このケース１の頂側部位１Ａにはイヤホンジャック取付孔部２が設けてある。そして、このケース１の頂側部位１Ａには、イヤホンジャック取付孔部２を利用してイヤホンジャック３が取付けてある。なお、ケース１とトップカバー４５とフロントカバー５３とで無線機本体を構成している。
【００３０】
イヤホンジャック３は、図２に示すように絶縁材料からなるハウジング４を備えており、このハウジング４はボルト部材取付面部（上面部）４Ａ、実装面部（前面部）４Ｂ、この実装面部４Ｂに対向する対向面部（後面部）４Ｃ及び実装面部４Ｂに対して左、右の側面部（左、右面部）４Ｄ、４Ｅを有していて、そのボルト部材取付面部４Ａに対向する対向面部（下面部）が開口している。そして、このハウジング４のボルト部材取付面部４Ａには、図４に示すように取付孔部６が設けてあり、左、右の側面部４Ｄ、４Ｅには端子係止孔部７、８が形成してあり、また、実装面部４Ｂには、その両端縁部に切欠き部９、１０が形成してある。
【００３１】
そして、ハウジング４のボルト部材取付面部４Ａには、基部に端子板１１を固着した金属性のボルト部材５が、その基端部５Ａを取付孔部６に貫通固着して取付けてあり、このボルト部材５の基端部５Ａに設けた接触部５Ｂはハウジング４の内部に突入しており、このボルト部材５は中空体であって、このボルト部材５の内孔部がプラグ挿入孔部３１に成されている。そして、端子板１１にはリード部１２が形成してあり、このリード部１２は実装面部４Ｂの切欠き部９に挿入してあって、前方に突出している。
【００３２】
また、ハウジング４には一方の端子１３と他方の端子１４とが設けてある。すなわち、一方の端子１３は、図６に示すように板状の端子本体１５の一端部に一対の接触片部１６を設けると共に、接触片部１６の外縁部に係止突起部１６ａを設け、端子本体１５の他端部にリード部１７を設けて構成してある。
【００３３】
また、他方の端子１４は図５に示すように板材を側面略く字形状に屈曲形成されてばね性が付与された端子本体１８を備えており、この端子本体１８の先側には側面へ字形状に屈曲形成された接点部１９が形成してあり、また、端子本体１８の基部１８ｂの左、右縁部には係止突起部２０が形成してあり、また、端子本体１８の基部１８ｂにはリード部１８ａが屈曲形成してある。
【００３４】
そして、他方の端子１４はハウジング４内に収容されていて、その端子本体１８の基部１８ｂがハウジング４の実装面部４Ｂの内面に当接していて、係止突起部２０が左、右の側面部４Ｄ、４Ｅの端子係止孔部７に係止してある。また、一方の端子１３は、ハウジング４のボルト部材取付面部４Ａに対向する対向面部（下面部）の開口部３０からこのハウジング４内に挿入してあって、一対の接触片部１６の外縁部の係止突起部１６ａが左、右の側面部４Ｄ、４Ｅの端子係止孔部８に係止してあり、一対の接触片部１６の先端部の接点部１６Ａがボルト部材５の基端部５Ａに設けた接触部５Ｂに接触している。そして、一方の端子１３の板状の端子本体１５はハウジング４の開口部３０を半分程度塞いでいて、そのリード部１７は実装面部４Ｂの下縁部の切欠き部１０に挿入してあって、前方に突出している。
【００３５】
したがって、イヤホンジャック３の開口部３０は塞がれておらず、ボルト部材５の内孔部であるプラグ挿入孔部３１はハウジング４の内部空間を介して開口部３０に連通している。
【００３６】
そして、上記のように構成されたイヤホンジャック３は、図８に示すようにその実装面部４Ｂをプリント基板３２に当接した状態で、端子板１１のリード部１２、一方及び他方の端子１３、１４のリード部１７、１８ａをそれぞれスルーホール３２ａに挿入してはんだ付けによりプリント基板３２に実装してある。
【００３７】
このようにプリント基板３２に実装されたイヤホンジャック３は、図７の（１）〜（５）に示すように防水シート（閉塞部材）であるイヤホンジャックシート３４を貼り付けることによりハウジング４の開口部３０が塞がれる。
【００３８】
すなわち、イヤホンジャックシート３４は、合成樹脂フイルムの一面に粘着剤を塗布した長方形の粘着シートであり、このイヤホンジャックシート３４を、図７の（１）、（２）に示すようにハウジング４の開口部３０のある対向面部に貼り付ける（防水シート貼付工程）。次に、図７の（３）に示すようにイヤホンジャックシート３４の開口部閉塞部位３４ｃを挟んだ両側部位である左、右部位３４ａ、３４ｂをハウジング４側に折り曲げて、ハウジング４の左、右の側面部４Ｄ、４Ｅに貼り付けて、左、右部位３４ａ、３４ｂ及び開口部閉塞部位３４ｃのそれぞれの一部分（立上げ部）３４ａ−１、３４ｂ−１、３４ｃ−１を立ち上げた状態にする（第１の防水シート折曲工程）。
【００３９】
次に、図７の（４）に示すようにイヤホンジャックシート３４の開口部閉塞部位３４ｃの立上げ部３４ｃ−１をハウジング４側に折り曲げて、この立上げ部３４ｃ−１の中央部をハウジング４の実装面部４Ｂに対向する対向面部（後面部）４Ｃに貼り付けると共に、立上げ部３４ｃ−１の左右を左、右部位３４ａ、３４ｂの立上げ部３４ａ−１、３４ｂ−１に貼り合わす。この場合、これらの左、右部位３４ａ、３４ｂの立上げ部３４ａ−１、３４ｂ−１は外に開いた状態になる（第２の防水シート折曲工程）。
【００４０】
次に、図７の（５）に示すように外に開いた左、右部位３４ａ、３４ｂの立上げ部３４ａ−１、３４ｂ−１を内側に折り畳んで右部位３４ｂの立上げ部３４ｂ−１をハウジング４の実装面部４Ｂに対向する対向面部（後面部）４Ｃに貼り付け、その上に左部位３４ａの立上げ部３４ａ−１を貼り付ける（第３の防水シート折曲工程）。
【００４１】
次に、図７の（６）に示すようにイヤホンジャック３の実装面部４Ｂとプリント基板３２との合せ目３６の全周に亘って閉塞部材である接着剤３７を塗布して、当該合せ目３６を封止する（接着剤塗布工程）。
【００４２】
このようにイヤホンジャック３にあっては、その開口部３０はイヤホンジャックシート３４により完全に塞がれており、また、イヤホンジャック３とプリント基板３２との合せ目３６も接着剤３７によって完全に塞がれることになる。
【００４３】
上記のように構成されたイヤホンジャックユニットＪは、メインプリント基板３８の上部に設けた収容凹部３９に収容された状態で、そのプリント基板３２のフレキシブル部分４０及びコネクタ４１を介してメインプリント基板３８に接続される。
【００４４】
そして、メインプリント基板３８がケース１に収容される際に、イヤホンジャック３のボルト部材５にはワッシャ４２が嵌められて、このボルト部材５はケース１の頂側部位１Ａのイヤホンジャック取付孔部２に、ケース１の内側から挿入されていて、このボルト部材５のイヤホンジャック取付孔部２を貫通して上方に突出した部分にナット部材４３が螺合してあり、このナット部材４３の締め付けでイヤホンジャック３はケース１の頂側部位１Ａに固着してある。
【００４５】
そして、ケース１の頂側部位１Ａにはナット部材４３に被さるようにしてパッキン４４が装着してあり、また、ケース１の頂側部位１Ａには合成樹脂性のトップカバー４５が装着してある。このトップカバー４５の頂側部位４５Ａには、その裏面側に位置させてパッキン装着部（図示せず）が形成してあり、このパッキン収容部には円形の孔部４６が形成してある。また、トップカバー４５の頂側部位４５Ａには割り溝からなる防水キャップ取付部４７が形成してある。
【００４６】
そして、ケース１の頂側部位１Ａにトップカバー４５を装着した状態では、パッキン収容部にはパッキン４４が収容されていて、孔部４６内にボルト部材５の上端部が同心的に位置している。
【００４７】
また、防水キャップ４８は、図１に示すように孔部４６の内部及びボルト部材５の上端部に挿入される防水キャップ本体４８Ａを有しており、この防水キャップ本体４８Ａにはヒンジ部４９を介して取付部５０と係止ブロック部５１が形成してある。そして、この防水キャップ４８は、その取付部５０を防水キャップ取付部４７に挿入してトップカバー４５に取付けてあり、この防水キャップ４８でトップカバー４５の孔部４６が着脱可能に塞がれている。
【００４８】
次に、上記のように構成されたイヤホンジャック３の使用と防水について説明する。
【００４９】
イヤホンジャック３の使用では、防水キャップ４８をトップカバー４５の孔部４６より外して、図８に示すようにこの孔部４６からボルト部材５の内孔部であるプラグ挿入孔部３１にイヤホンプラグＰを差し込む。この差し込みによりイヤホンプラグＰの一方の接点部５３がボルト部材５に接触し、また、イヤホンプラグＰの他方の接点部５４のくびれ部５５に他方の端子１４の接点部１９が係合して互いに接触する。
【００５０】
また、防水キャップ４８の孔部４６への装着を忘れた場合、携帯用無線機の度重なる使用により防水キャップ４８が、そのヒンジ部４９で千切れて紛失した場合、孔部４６が開放しっぱなしになるために、この孔部４６から侵入した水（雨水）がボルト部材５の内孔部であるプラグ挿入孔部３１を経てイヤホンジャック３の内部に入る。
【００５１】
しかし、イヤホンジャック３にあっては、その開口部３０はイヤホンジャックシート３４により完全に塞がれており、また、イヤホンジャック３とプリント基板３２との合せ目３６も接着剤３７によって完全に塞がれているために、このイヤホンジャック３内に侵入した水は外部に漏れることがなくなり、外部に漏れた水によりメインプリント基板３８及びこの基板３８に実装した電子部品（図示せず）に接触することを防止することができる。
【００５２】
また、イヤホンジャック防水方法は、イヤホンジャック３のハウジング４の開口部３０のある面部にイヤホンジャックシート３４を貼り付け、次に、イヤホンジャックシート３４の開口部閉塞部位３４ｃを挟む左、右部位３４ａ、３４ｂをハウジング４側に折り曲げて、このハウジング４の左、右の側面部４Ｄ、４Ｅに貼り付け、開口部閉塞部位３４ｃ及び左、右部位３４ａ、３４ｂのそれぞれの一部分を立ち上げ、次に、開口部閉塞部位３４ｃの立上げ部３４ｃ−１をハウジング４側に折り曲げて、開口部閉塞部位３４ｃの立上げ部３４ｃ−１をハウジング４の実装面部４Ｂに対向する対向面部（後面部）４Ｃに貼り付けると共に、左、右部位３４ａ、３４ｂのそれぞれの立上げ部３４ａ−１、３４ｂ−１を折り畳み、これらの左、右部位３４ａ、３４ｂを外に開らき、次に、外に開いた左、右部位３４ａ、３４ｂを内側に折り畳んでハウジング４の実装面部４Ｂに対向する対向面部（後面部）４Ｃに貼り付け、次に、イヤホンジャック３とプリント基板３２との合せ目３６の全周に亘って接着剤３７を塗布することでこの合せ目３６を封止して行われる。
【００５３】
したがって、イヤホンジャック３には完全な防水処理が行われるために、イヤホンジャック３内に雨水が侵入しても機器内部への浸水を防ぐことができて、無線機能の品質信頼性の確保ができ、携帯用無線機を雨の日でも使用することができるようになる。
【００５４】
なお、イヤホンジャック３の形状によっては、開口部３０のイヤホンジャックシート３４による閉塞、もしくはイヤホンジャック３とプリント基板３２との合せ目３６に接着剤３７を塗布することのみによってイヤホンジャックの防水処理が済む場合もある。
【００５５】
【発明の効果】
以上説明したように、本発明に係る携帯用無線機のイヤホンジャック防水構造によれば、防水キャップの装着を忘れた場合、また、防水キャップが千切れて紛失している場合、水がプラグ挿入孔部を経てイヤホンジャックの内部に侵入するが、このイヤホンジャックにあっては、その水の漏洩箇所が閉塞部材により塞がれているために、（また、イヤホンジャックの開口部が防水シートにより完全に塞がれており、また、イヤホンジャックとプリント基板との合せ目も接着剤によって完全に塞がれているために）、このイヤホンジャック内に侵入した水は外部に漏れることがなくなる。
【００５６】
このように、イヤホンジャック内に雨水が侵入しても機器内部への浸水を防ぐことができるために、無線機能の品質信頼性の確保ができ、携帯用無線機を雨の日でも使用することができる。
【００５７】
また、本発明に係る携帯用無線機のイヤホンジャック防水方法によれば、容易に且つ安価にイヤホンジャックの防水対策を講じることができて、無線機能の品質信頼性の確保に寄与することができるようになる。
【図面の簡単な説明】
【図１】本発明に係るイヤホンジャック防水構造を備えた携帯用無線機の一部省略した分解状態の斜視図
【図２】イヤホンジャックの斜め上方から見た斜視図
【図３】イヤホンジャックを逆様にして斜め上方から見た斜視図
【図４】イヤホンジャックの縦断面図
【図５】イヤホンジャックの端子部材の斜視図
【図６】イヤホンジャックの端子部材の斜視図
【図７】（１）〜（６）はイヤホンジャックにイヤホンジャックシートを接着する手順及び接着剤塗布の説明図
【図８】イヤホンジャックにイヤホンプラグを差し込んだ状態の断面図
【図９】携帯用無線機における防水キャップにより孔部の閉塞を説明するための一部省略した分解状態の斜視図
【符号の説明】
１  ケース（無線機本体）
２  イヤホンジャック取付孔部
３  イヤホンジャック
４  ハウジング
５  ボルト部材
６  取付孔部
１１  端子板
１３  一方の端子部材
１４  他方の端子部材
３０  開口部
３１  プラグ挿入孔部
３２  プリント基板
３４  イヤホンジャックシート（防水シート）（閉塞部材）
３６  合せ目
３７  接着剤（閉塞部材）
【図１】
0003927725.tif 000002
【図２】
0003927725.tif 000003
【図３】
0003927725.tif 000004
【図４】
0003927725.tif 000005
【図５】
0003927725.tif 000006
【図６】
0003927725.tif 000007
【図７】
0003927725.tif 000008
【図８】
0003927725.tif 000009
【図９】
0003927725.tif 000010